(57)【特許請求の範囲】
【請求項１】
テレビのアプリケーション編集モードを作動させ、テレビに表示された第１のアイコンが選択されたか否かを検出するステップと、
上記第１のアイコンが選択された場合、テレビリモコン上の指定されたキーが押されたか否かを検出するステップと、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成し、上記第１のアイコンに対応する第１のアプリケーションと、上記第２のアイコンに対応する第２のアプリケーションをパッケージングして上記フォルダに追加するステップと、
テレビリモコン上の指定された第２の方向キーが押された場合、上記第１のアイコンを前記第２の方向キーに対応する方向において上記第１のアイコンに隣接する第３のアイコンの位置に移動させ、テレビリモコン上の指定された第２の方向キーが押されたことが検出されると、上記第１のアイコンの位置と、上記第３のアイコンの位置を交換するステップと、
上記フォルダを形成した後に、少なくとも２つのアイコンが占める大きさで、既に形成された上記フォルダを表示するステップと、
テレビに表示されたフォルダが選択された場合、テレビスクリーンにフォルダ進入マークを表示するステップと、
上記フォルダ進入マークが選択されたことが検出された場合、上記フォルダ内の各アプリケーションに対応するアイコンを積層方式で圧縮表示するステップと
を含むことを特徴とするテレビアプリケーションの操作方法。
【請求項２】
上記第１のアイコンに対応する第１のアプリケーションと、上記第３のアイコンに対応する第３のアプリケーションをパッケージングしてフォルダに追加するステップは、
上記第２の方向キーが確認キーである場合、１つのフォルダを形成し、上記第１のアイコンに対応する第１のアプリケーションと、上記第３のアイコンに対応する第３のアプリケーションをパッケージングして上記フォルダに追加するステップを含むことを特徴とする請求項１に記載のテレビアプリケーションの操作方法。
【請求項３】
テレビに表示されたフォルダが選択された場合、テレビスクリーンにフォルダ削除マークを表示するステップと、
上記フォルダ削除マークが選択されたことが検出された場合、上記フォルダを削除するステップと
をさらに含むことを特徴とする請求項１又は２に記載のテレビアプリケーションの操作方法。
【請求項４】
テレビに表示されたフォルダが選択された場合、テレビスクリーンにフォルダ移動マークを表示するステップと、
上記フォルダ移動マークが選択されたことが検出され、且つテレビリモコン上の方向キーが押されたことが検出された場合、上記方向キーに対応する方向に沿って上記フォルダを移動させるステップと
をさらに含むことを特徴とする請求項１又は２に記載のテレビアプリケーションの操作方法。
【請求項５】
上記フォルダ内の各アプリケーションに対応するアイコンを積層方式で圧縮表示する上記ステップ以降に、
上記フォルダ進入マークの代わりに、アプリケーション移動マークをテレビスクリーンに表示するステップと、
上記フォルダ内の第４のアイコンが選択されたことが検出され、且つ上記アプリケーション移動マークが選択されたことが検出されると、押し操作が検出されたテレビリモコン上の方向キーに対応する方向に沿って上記第４のアイコンを移動させるステップと
をさらに含むことを特徴とする請求項１に記載のテレビアプリケーションの操作方法。
【請求項６】
上記フォルダ内の各アプリケーションに対応するアイコンを積層方式で圧縮表示する上記ステップ以降に、
上記フォルダ進入マークの代わりに、アプリケーション削除マークをテレビスクリーンに表示するステップと、
上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除するステップと
をさらに含むことを特徴とする請求項１に記載のテレビアプリケーションの操作方法。
【請求項７】
テレビのアプリケーション編集モードを作動させ、テレビに表示された第１のアイコンが選択されたか否かを検出し、上記第１のアイコンが選択された場合、テレビリモコン上の指定されたキーが押されたか否かを検出するための検出モジュールと、
テレビリモコン上の指定されたキーが押された場合、上記第１のアイコンを移動させるか、または上記第１のアイコンに対応する第１のアプリケーションをフォルダに追加するための処理モジュールとを含み、
上記処理モジュールは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成して、上記第１のアイコンに対応する第１のアプリケーションと、上記第２のアイコンに対応する第２のアプリケーションをパッケージングして上記フォルダに追加するための第１のパッケージングユニットを含む第１の処理サブモジュールと、
テレビリモコン上の指定された第２の方向キーが押された場合、上記第１のアイコンを前記第２の方向キーに対応する方向において上記第１のアイコンに隣接する第３のアイコンの位置に移動させるための第１の移動ユニットと、テレビリモコン上の指定された第２の方向キーが押されたことが検出されると、上記第１のアイコンの位置と、上記第３のアイコンの位置を交換するための交換ユニットとを含む第２の処理サブモジュールと、
上記フォルダを形成した後に、少なくとも２つのアイコンが占める大きさで、既に形成された上記フォルダを表示するための表示モジュールと、
を含み、
上記表示モジュールは、
テレビに表示されたフォルダが選択された場合、テレビスクリーンにフォルダ進入マークを表示し、
上記処理モジュールは、
上記フォルダ進入マークが選択されたことを検出するための第５の処理サブモジュールをさらに含み、
上記表示モジュールは、上記フォルダ内の各アプリケーションに対応するアイコンを積層方式で圧縮表示することを特徴とするテレビアプリケーションの操作装置。
【請求項８】
上記第２の処理サブモジュールは、
上記第２の方向キーが確認キーである場合、１つのフォルダを形成し、上記第１のアイコンに対応する第１のアプリケーションと、上記第３のアイコンに対応する第３のアプリケーションをパッケージングして上記フォルダに追加するための第２のパッケージングユニットを含むことを特徴とする請求項７に記載のテレビアプリケーションの操作装置。
【請求項９】
上記表示モジュールは、
テレビに表示されたフォルダが選択された場合、テレビスクリーンにフォルダ削除マークを表示し、
上記処理モジュールは、
上記フォルダ削除マークが選択されたことが検出された場合、上記フォルダを削除するための第３の処理サブモジュールをさらに含むことを特徴とする請求項７に記載のテレビアプリケーションの操作装置。
【請求項１０】
上記表示モジュールは、
テレビに表示されたフォルダが選択された場合、テレビスクリーンにフォルダ移動マークを表示し、
上記処理モジュールは、
上記フォルダ移動マークが選択されたことが検出され、且つテレビリモコン上の方向キーが押されたことが検出された場合、上記方向キーに対応する方向に沿って上記フォルダを移動させるための第４の処理サブモジュールをさらに含むことを特徴とする請求項７に記載のテレビアプリケーションの操作装置。
【請求項１１】
上記表示モジュールは、
上記フォルダ進入マークの代わりに、アプリケーション移動マークをテレビスクリーンに表示し、
上記第５の処理サブモジュールは、
上記フォルダ内の第４のアイコンが選択されたことが検出され、且つ上記アプリケーション移動マークが選択されたことが検出されると、押し操作が検出されたテレビリモコン上の方向キーに対応する方向に沿って、上記第４のアイコンを移動させるための第２の移動ユニットを含むことを特徴とする請求項７に記載のテレビアプリケーションの操作装置。
【請求項１２】
上記表示モジュールは、
上記フォルダ進入マークの代わりに、アプリケーション削除マークをテレビスクリーンに表示し、
上記第５の処理サブモジュールは、
上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除するための削除ユニットを含むことを特徴とする請求項７に記載のテレビアプリケーションの操作装置。
【請求項１３】
プロセッサに実行されることにより、請求項１から請求項６のいずれかに記載のテレビアプリケーションの操作方法を実現することを特徴とするプログラム。
【請求項１４】
請求項１３に記載のプログラムが記録された記録媒体。
【発明の詳細な説明】
【相互参照】
【０００１】
本願は、出願番号がＣＮ２０１４１００２３７１０．６であって、出願日が２０１４年１月１７日である中国特許出願に基づき優先権を主張し、当該中国特許出願のすべての内容を本願に援用する。
【技術分野】
【０００２】
本発明は、スマートテレビの分野に関し、より具体的には、テレビアプリケーションの操作方法、装置、プログラム、及び記録媒体に関する。
【背景技術】
【０００３】
スマートテレビは、オペレーティングシステムを備えて、アプリケーションソフトウェアをインストールすることによって拡張機能を実現できるテレビである。スマートテレビは、より広範な双方向のテレビフラットフォームを有し、ユーザは、テレビを用いて任意のウェブサイトを閲覧することができ、様々なアプリケーションを用いてコンピュータ、デジタルテレビ、及びインターネットなどの機能を融合して豊かなマルチメディア娯楽サービスを実現することができる。
【０００４】
スマートテレビの発展に従って、テレビが提供できるアプリケーションがますます多くなっている。現在、スマートテレビの大部分は、リモコンを用いて操作しなければならないし、例えば、リモコンを用いてユーザが必要とするアプリケーションを選択する。しかしながら、テレビにインストールされているアプリケーションが多すぎる場合、リモコンによる操作が不便になり、ユーザがキーを何回も押さなければ、アプリケーションを操作することができなくなり、操作が煩わしく、不便になる。
【発明の概要】
【０００５】
本発明は、テレビアプリケーションの操作方法、装置、プログラム、及び記録媒体を提供する。上記技術案は、以下のとおりである。
【０００６】
本発明の第１の局面によると、テレビアプリケーションの操作方法を提供し、当該方法は、
テレビのアプリケーション編集モードを作動させ、テレビに表示された第１のアイコンが選択されたか否かを検出するステップと、
上記第１のアイコンが選択された場合、テレビリモコン上の指定されたキーが押されたか否かを検出するステップと、
テレビリモコン上の指定されたキーが押された場合、上記第１のアイコンを移動させるか、または上記第１のアイコンに対応する第１のアプリケーションをフォルダに追加するステップとを含む。
【０００７】
ここで、テレビリモコン上の指定されたキーが押された場合、上記第１のアイコンを移動させるか、または上記第１のアイコンに対応する第１のアプリケーションをフォルダに追加するステップは、
テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入するステップと、
テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するか、または上記第１のアイコンに対応する第１のアプリケーションと、上記第３のアイコンに対応する第３のアプリケーションをパッケージングしてフォルダに追加するステップとを含む。
【０００８】
ここで、上記テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加するステップは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成し、上記第１のアイコンに対応する第１のアプリケーションと、上記第２のアイコンに対応する第２のアプリケーションをパッケージングして上記フォルダに追加するステップを含む。
【０００９】
ここで、上記テレビリモコン上の指定された第２のキーが押された場合、上記第１のアイコンをそれに隣接する第３のアイコンの位置に移動させるステップは、
テレビリモコン上の指定された第２の方向キーが押された場合、上記第１のアイコンを、上記第２の方向キーに対応する方向において上記第１のアイコンと隣接する第３のアイコンの位置に移動させるステップを含む。
【００１０】
ここで、上記第１のアイコンの位置と、上記第３のアイコンの位置を交換するステップは、
上記第３のキーが上記第２の方向キーである場合、上記第１のアイコンの位置と、上記第３のアイコンの位置を交換するステップを含む。
【００１１】
ここで、上記第１のアイコンに対応する第１のアプリケーションと、上記第３のアイコンに対応する第３のアプリケーションをパッケージングしてフォルダに追加するステップは、
上記第３のキーが確認キーである場合、１つのフォルダを形成し、上記第１のアイコンに対応する第１のアプリケーションと、上記第３のアイコンに対応する第３のアプリケーションをパッケージングして上記フォルダに追加するステップを含む。
【００１２】
ここで、上記フォルダを形成した後に、少なくとも２つのアイコンが占める大きさで、既に形成された上記フォルダを表示するステップをさらに含む。
【００１３】
ここで、テレビに表示されたフォルダが選択された場合、テレビスクリーンにフォルダ削除マークを表示するステップと、
上記フォルダ削除マークが選択されたことが検出された場合、上記フォルダを削除するステップとをさらに含む。
【００１４】
ここで、テレビに表示されたフォルダが選択された場合、テレビスクリーンにフォルダ移動マークを表示するステップと、
上記フォルダ移動マークが選択されたことが検出され、且つテレビリモコン上の方向キーが押されたことが検出された場合、上記方向キーに対応する方向に沿って上記フォルダを移動させるステップとをさらに含む。
【００１５】
ここで、テレビに表示されたフォルダが選択された場合、テレビスクリーンにフォルダ進入マークを表示するステップと、
上記フォルダ進入マークが選択されたことが検出された場合、上記フォルダ内の各アプリケーションに対応するアイコンを縦方向カード積層方式で圧縮表示するステップとをさらに含む。
【００１６】
ここで、上記フォルダ内の各アプリケーションに対応するアイコンを縦方向カード積層方式で圧縮表示する上記ステップ以降に、
上記フォルダ進入マークの代わりに、アプリケーション移動マークをテレビスクリーンに表示するステップと、
上記フォルダ内の第４のアイコンが選択されたことが検出され、且つ上記アプリケーション移動マークが選択されたことが検出されると、押し操作が検出されたテレビリモコン上の方向キーに対応する方向に沿って上記第４のアイコンを移動させるステップとをさらに含む。
【００１７】
ここで、上記フォルダ内の各アプリケーションに対応するアイコンを縦方向カード積層方式で圧縮表示する上記ステップ以降に、
上記フォルダ進入マークの代わりに、アプリケーション削除マークをテレビスクリーンに表示するステップと、
上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除するステップとをさらに含む。
【００１８】
本発明の第２の局面によると、テレビアプリケーションの操作装置を提供し、当該装置は、
テレビのアプリケーション編集モードを作動させ、テレビに表示された第１のアイコンが選択されたか否かを検出し、上記第１のアイコンが選択された場合、テレビリモコン上の指定されたキーが押されたか否かを検出するための検出モジュールと、
テレビリモコン上の指定されたキーが押された場合、上記第１のアイコンを移動させるか、または上記第１のアイコンに対応する第１のアプリケーションをフォルダに追加するための処理モジュールとを含む。
【００１９】
ここで、上記処理モジュールは、
テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入するための第１の処理サブモジュールと、
テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するか、または上記第１のアイコンに対応する第１のアプリケーションと、上記第３のアイコンに対応する第３のアプリケーションをパッケージングしてフォルダに追加するための第２の処理サブモジュールとを含む。
【００２０】
ここで、上記第１の処理サブモジュールは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成して、上記第１のアイコンに対応する第１のアプリケーションと、上記第２のアイコンに対応する第２のアプリケーションをパッケージングして上記フォルダに追加するための第１のパッケージングユニットを含む。
【００２１】
ここで、上記第２の処理サブモジュールは、
テレビリモコン上の指定された第２の方向キーが押された場合、上記第１のアイコンを、上記第２の方向キーに対応する方向において上記第１のアイコンと隣接する第３のアイコンの位置に移動させるための第１の移動ユニットを含む。
【００２２】
ここで、上記第２の処理サブモジュールは、
上記第３のキーが上記第２の方向キーである場合、上記第１のアイコンの位置と、上記第３のアイコンの位置を交換するための交換ユニットを含む。
【００２３】
ここで、上記第２の処理サブモジュールは、
上記第３のキーが確認キーである場合、１つのフォルダを形成し、上記第１のアイコンに対応する第１のアプリケーションと、上記第３のアイコンに対応する第３のアプリケーションをパッケージングして上記フォルダに追加するための第２のパッケージングユニットを含む。
【００２４】
ここで、上記フォルダを形成した後に、少なくとも２つのアイコンが占める大きさで、既に形成された上記フォルダを表示するための表示モジュールをさらに含む。
【００２５】
ここで、上記表示モジュールは、
テレビに表示されたフォルダが選択された場合、テレビスクリーンにフォルダ削除マークを表示し、
上記処理モジュールは、
上記フォルダ削除マークが選択されたことが検出された場合、上記フォルダを削除するための第３の処理サブモジュールをさらに含む。
【００２６】
ここで、上記表示モジュールは、
テレビに表示されたフォルダが選択された場合、テレビスクリーンにフォルダ移動マークを表示し、
上記処理モジュールは、
上記フォルダ移動マークが選択されたことが検出され、且つテレビリモコン上の方向キーが押されたことが検出された場合、上記方向キーに対応する方向に沿って上記フォルダを移動させるための第４の処理サブモジュールをさらに含む。
【００２７】
ここで、上記表示モジュールは、
テレビに表示されたフォルダが選択された場合、テレビスクリーンにフォルダ進入マークを表示し、
上記処理モジュールは、
上記フォルダ進入マークが選択されたことを検出するための第５の処理サブモジュールをさらに含み、
上記表示モジュールは、上記フォルダ内の各アプリケーションに対応するアイコンを縦方向カード積層方式で圧縮表示する。
【００２８】
ここで、上記表示モジュールは、
上記フォルダ進入マークの代わりに、アプリケーション移動マークをテレビスクリーンに表示し、
上記第５の処理サブモジュールは、
上記フォルダ内の第４のアイコンが選択されたことが検出され、且つ上記アプリケーション移動マークが選択されたことが検出されると、押し操作が検出されたテレビリモコン上の方向キーに対応する方向に沿って、上記第４のアイコンを移動させるための第２の移動ユニットを含む。
【００２９】
ここで、上記表示モジュールは、
上記フォルダ進入マークの代わりに、アプリケーション削除マークをテレビスクリーンに表示し、
上記第５の処理サブモジュールは、
上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かにを問い合わせし、テレビリモコン上の確認キーが押されたことが検出されると、上記第５のアイコンに対応するアプリケーションを削除するための削除ユニットを含む。
【００３０】
本発明の第３の局面によると、プログラムを提供し、当該プログラムは、プロセッサに実行されることにより、上記テレビアプリケーションの操作方法を実現する。
【００３１】
本発明の第４の局面によると、記録媒体を提供し、当該記録媒体には、上記プログラムが記録されている。
【００３２】
本発明による技術案は、以下のような技術効果がある。テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動されるかまたはパッケージングしてフォルダに追加するなどの、テレビアプリケーションに対する操作を実現することができ、キー操作を簡素化し、キーに対する操作回数を減少させることができ、操作の便利性、及び柔軟性を向上させることができ、ユーザがその便利さを感じるようになる。
【００３３】
以上の一般的な記述、及び以下の詳細の記述は例示的なものであり、本発明を限定するものではないことを理解すべきである。
【図面の簡単な説明】
【００３４】
本発明の技術案をより明瞭に説明するため、以下、実施例の説明に必要な図面について簡単な説明を行う。ただし、これらの図面は、ただ本発明の一部の実施例であり、これらの図面により他の図面を取得できることは、当業者にとって自明なことである。
【００３５】
図１ａは、本発明の実施例１によるテレビアプリケーションの操作方法を示す例示的なフロー図である。
【００３６】
図１ｂは、本発明の実施例１によるテレビスクリーンにアプリケーションを表示する例示的な模式図である。
【００３７】
図１ｃは、本発明の実施例１によるテレビアプリケーションの操作方法を示す別の例示的なフロー図である。
【００３８】
図２ａは、本発明の実施例２によるテレビアプリケーションの操作方法を示す例示的なフロー図である。
【００３９】
図２ｂ（１）〜（３）は、本発明の実施例２によるテレビアプリケーションをパッケージングしてフォルダに追加する操作を示す例示的な模式図である。
【００４０】
図２ｃ（１）〜（２）は、本発明の実施例２によるテレビアプリケーションの位置を交換する操作を示す例示的な模式図である。
【００４１】
図３ａは、本発明の実施例３によるテレビアプリケーションの操作方法を示す例示的なフロー図である。
【００４２】
図３ｂは、本発明の実施例３によるテレビアプリケーションをパッケージングしてフォルダに追加する操作を示す例示的な模式図である。
【００４３】
図３ｃは、本発明の実施例３によるアプリケーション編集モードへの進入を示す例示的な模式図である。
【００４４】
図４ａは、本発明の実施例４によるテレビアプリケーションの操作方法を示す例示的なフロー図である。
【００４５】
図４ｂは、本発明の実施例４によるテレビアプリケーションの操作方法を示す別の例示的なフロー図である。
【００４６】
図４ｃは、本発明の実施例４によるテレビアプリケーションの操作方法を示すさらに別の例示的なフロー図である。
【００４７】
図４ｄは、本発明の実施例４によるテレビアプリケーションの操作方法を示すさらに別の例示的なフロー図である。
【００４８】
図４ｅは、本発明の実施例４によるフォルダを形成した後の各マークの表示を示す例示的な模式図である。
【００４９】
図５ａは、本発明の実施例５によるテレビアプリケーションの操作装置を示す例示的な構成図である。
【００５０】
図５ｂは、本発明の実施例５によるテレビアプリケーションの操作装置を示す別の例示的な構成図である。
【００５１】
図６は、本発明の実施例６による装置を示すブロック図である。
【００５２】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００５３】
以下、例示的な実施例について詳細に説明し、その例を図面に示す。以下、図面に関連して記述する際、別途の説明がない限り、異なる図面の同一の図面符号は、同一または類似な要素を示す。以下の例示的な実施例で記述する実施形態は、本発明と一致するすべての実施形態を代表するものではない。これらは、ただ添付される特許請求の範囲で詳述する本発明の一方面と一致する装置、及び方法の例である。
【００５４】
実施例１
図１ａを参照すると、本実施例は、テレビアプリケーションの操作方法を提供し、当該方法の実行主体は、テレビを含み、上記方法は、以下のようなステップを含む。
【００５５】
ステップ１０１において、テレビのアプリケーション編集モードを作動させ、テレビに表示された第１のアイコンが選択されたか否かを検出する。
【００５６】
ここで、テレビスクリーンに表示されるアイコンは、一般的に複数であり、本実施例は、その具体的な表示方式について限定しない。１つの実施形態において、左側から右側の順に配列でき、各列には、例えば、２つ、あるいは３つなどの所定数のアイコンが含まれる。図１ｂを参照すると、テレビスクリーンには、９個のアイコンが表示され、各列には、３つのアイコンが表示され、各列は、左側から右側の順に順次に配列されている。
【００５７】
ステップ１０２において、上記第１のアイコンが選択された場合、テレビリモコン上の指定されたキーが押されたか否かを検出する。
【００５８】
ステップ１０３において、テレビリモコン上の指定されたキーが押された場合、上記第１のアイコンを移動させるか、または上記第１のアイコンに対応する第１のアプリケーションをフォルダに追加する。
【００５９】
図１ｃを参照すると、本実施例は、テレビアプリケーションの操作方法をさらに提供し、以下のようなステップを含む。
【００６０】
ステップ１１１において、テレビのアプリケーション編集モードを作動させ、テレビに表示された第１のアイコンが選択されたか否かを検出する。
【００６１】
ステップ１１２において、上記第１のアイコンが選択された場合、テレビリモコン上の指定されたキーが押されたか否かを検出する。
【００６２】
ステップ１１３において、テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入する。
【００６３】
ステップ１１４において、テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するか、または上記第１のアイコンに対応する第１のアプリケーションと、上記第３のアイコンに対応する第３のアプリケーションをパッケージングしてフォルダに追加する。
【００６４】
ここで、テレビリモコン上の指定されたキーが押された場合、上記第１のアイコンを移動させるか、または上記第１のアイコンに対応する第１のアプリケーションをフォルダに追加するステップは、
テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入するステップと、
テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するか、または上記第１のアイコンに対応する第１のアプリケーションと、上記第３のアイコンに対応する第３のアプリケーションをパッケージングしてフォルダに追加するステップを含んでもよい。
【００６５】
ここで、テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加するステップは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成して、上記第１のアイコンに対応する第１のアプリケーションと、上記第２のアイコンに対応する第２のアプリケーションをパッケージングして上記フォルダに追加するステップを含む。
【００６６】
ここで、テレビリモコン上の指定された第２のキーが押された場合、上記第１のアイコンをそれに隣接する第３のアイコンの位置に移動させるステップは、
テレビリモコン上の指定された第２の方向キーが押された場合、上記第１のアイコンを、上記第２の方向キーに対応する方向において当該第１のアイコンと隣接する第３のアイコンの位置に移動させるステップを含んでもよい。
【００６７】
ここで、上記第１のアイコンの位置と、上記第３のアイコンの位置を交換するステップは、上記第３のキーが上記第２の方向キーである場合、上記第１のアイコンと、上記第３のアイコンの位置を交換するステップを含む。
【００６８】
ここで、上記第１のアイコンに対応する第１のアプリケーションと、上記第３のアイコンに対応する第３のアプリケーションをパッケージングしてフォルダに追加するステップは、
上記第３のキーが確認キーである場合、１つのフォルダを形成し、上記第１のアイコンに対応する第１のアプリケーションと、上記第３のアイコンに対応する第３のアプリケーションをパッケージングして上記フォルダに追加するステップを含む。
【００６９】
ここで、上記方法は、上記フォルダを形成した後に、少なくとも２つのアイコンが占める大きさで既に形成された上記フォルダを表示するステップをさらに含んでもよい。ここで、上記少なくとも２つのアイコンが占める位置大きさは、テレビスクリーンの縦方向の１つの列に表示された少なくとも２つのアイコンが占める総大きさである。例えば、テレビスクリーンの縦方向の１つの列に三つのアイコンが表示される場合、フォルダの高さは、２つ、または３つのアイコンの高さである。
【００７０】
ここで、上記方法は、テレビに表示されたフォルダが選択された場合、テレビスクリーンにフォルダ削除マークを表示し、上記フォルダ削除マークが選択されたことが検出されると、上記フォルダを削除するステップをさらに含んでもよい。
【００７１】
ここで、上記方法は、テレビに表示されたフォルダが選択された場合、テレビスクリーンにフォルダ移動マークを表示し、上記フォルダ移動マークが選択されたことが検出され且つテレビリモコン上の方向キーが押されたことが検出されると、上記方向キーに対応する方向に沿って上記フォルダを移動させるステップをさらに含んでもよい。
【００７２】
ここで、上記方法は、テレビに表示されたフォルダが選択された場合、テレビスクリーンにフォルダ進入マークを表示し、上記フォルダ進入マークが選択されたことが検出されると、上記フォルダ内の各アプリケーションに対応するアイコンを縦方向カード積層方式で圧縮表示するステップをさらに含んでもよい。
【００７３】
ここで、上記フォルダ内の各アプリケーションに対応するアイコンを縦方向カード積層方式で圧縮表示するステップ以降に、上記フォルダ進入マークの代わりに、アプリケーション移動マークをテレビスクリーンに表示するステップと、上記フォルダ内の第４のアイコンが選択されたことが検出され、且つ上記アプリケーション移動マークが選択されたことが検出されると、押し操作が検出されたテレビリモコン上の方向キーに対応する方向に沿って上記第４のアイコンを移動させるステップをさらに含んでもよい。
【００７４】
ここで、上記フォルダ内の各アプリケーションに対応するアイコンを縦方向カード積層方式で圧縮表示するステップ以降に、上記フォルダ進入マークの代わりに、アプリケーション削除マークをテレビスクリーンに表示するステップと、上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除するステップをさらに含んでもよい。
【００７５】
ここで、上記方法において、メニュー選択の方式でアプリケーション編集モードを作動させることができ、これについては詳細に説明しない。
【００７６】
本実施例で提供する上記方法は、テレビに適用されることができる。上記第１のアプリケーションは、テレビにインストールされた任意のアプリケーションであってもよく、これについて具体的に限定しない。
【００７７】
本実施例で提供する上記方法によると、テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動またはパッケージングしてフォルダに追加するなどの、テレビアプリケーションに対する操作を実現することができ、キー操作を簡素化し、キーに対する操作回数を減少させることができ、操作の便利性、及び柔軟性を向上させることができ、ユーザがその便利さを感じるようになる。
【００７８】
実施例２
図２ａを参照すると、本実施例は、テレビアプリケーションの操作方法を提供し、第１の方向キーを用いて、隣り合うアプリケーションをパッケージングしてフォルダに追加するか、またはフォルダに移入するように制御し、第２の方向キーを用いて、隣り合うアプリケーションの位置を交換するか、またはパッケージングしてフォルダに追加するように制御し、上記方法は、以下のようなステップを含む。
【００７９】
ステップ２０１において、テレビのアプリケーション編集モードを作動させ、テレビに表示された第１のアイコンが選択されたか否かを検出する。
【００８０】
ステップ２０２において、第１のアイコンが選択された場合、テレビリモコン上の指定されたキーが押されたか否かを検出する。
【００８１】
本実施例において、第１のアイコンは、第１のアプリケーションに対応し、上記第１のアプリケーションは、テレビにインストールされた任意のアプリケーションであってもよく、これについて具体的に限定しない。
【００８２】
ステップ２０３において、テレビリモコン上の第１の方向キーが押されたか、それとも第２の方向キーが押されたかを判断し、第１の方向キーが押された場合、ステップ２０４を実行し、第２の方向キーが押された場合、ステップ２０６を実行する。
【００８３】
ステップ２０４において、第１のアイコンを、上記第１の方向キーに対応する方向において上記第１のアイコンと隣接する第２のアイコンの位置に移動させる。
【００８４】
ステップ２０５において、第２のアイコンがアプリケーションマークである場合、１つのフォルダを形成し、第１のアイコンに対応する第１のアプリケーションと、第２のアイコンに対応する第２のアプリケーションをパッケージングして上記フォルダに追加し、第２のアイコンがフォルダマークである場合、第１のアイコンに対応する第１のアプリケーションを上記フォルダに移入し、処理を終了する。
【００８５】
ここで、第１の方向キーが左方向キーまたは右方向キーである場合、第１のアプリケーション、及び左方向または右方向において第１のアプリケーションと隣接する第２のアプリケーションをパッケージングしてフォルダに追加するように制御することができるため、操作が非常に便利になり、キーの操作回数が少なくて、ユーザがその便利さを感じるようになる。
【００８６】
例えば、図２ｂは、左方向キーを用いて、テレビアプリケーションをパッケージングしてフォルダに追加する操作を示す模式図である。図２ｂ（１）において、まず、１つのアプリケーション８が選択されたことが検出されると、アプリケーション８をハイライト表示する。図２ｂ（２）において、テレビスクリーンに表示されたアプリケーションを移動させるアイコン（未図示）が選択された後に、テレビリモコン上の左方向キーが押されたことが検出されると、アプリケーション８を左方向に沿って左側の隣接するアプリケーション５の位置に移動させ、１つのフォルダを形成して、アプリケーション８と、アプリケーション５をパッケージングして上記フォルダに追加する。フォルダの高さが単一の縦列の全体の高さを占め、且つ当該フォルダがアプリケーション４の後ろに位置するため、図２ｂ（３）のように表示される。
【００８７】
ステップ２０６において、第１のアイコンを、上記第２の方向キーに対応する方向において上記第１のアイコンと隣接する第３のアイコンの位置に移動させる。
【００８８】
ステップ２０７において、テレビリモコン上の第３のキーが押されたことが検出され、且つ第３のキーが上記第２の方向キーである場合、第１のアイコンの位置と、第３のアイコンの位置を交換し、処理を終了する。
【００８９】
例えば、図２ｃは、上方向キーを用いて、テレビアプリケーションの位置を交換する操作を示す模式図である。図２ｃ（１）において、まず、アプリケーション８が選択されたことが検出され、且つテレビスクリーンに表示されたアプリケーションを移動させるアイコン（未図示）が選択された場合、テレビリモコン上の上方向キーが押されたことが検出されると、アプリケーション８を上方向に沿ってアプリケーション７の位置に移動させ、このとき、２つのアプリケーションは重ねて表示される。図２ｃ（２）において、テレビリモコン上の上方向キーが再度押されたことが検出されると、その前のキーと同一であると判定して、アプリケーション８の位置と、アプリケーション７の位置を交換し、このとき、アプリケーション８がアプリケーション７の上側に表示される。
【００９０】
本実施例において、上記方法は、
フォルダを形成した後に、少なくとも２つのアイコンが占める大きさで既に形成された上記フォルダを表示するステップをさらに含んでもよい。
【００９１】
本実施例において、１つのフォルダ内に少なくとも２つのアプリケーションが含まれ、例えば、６個〜８個のアプリケーションを含んでもよく、本実施例は、これについて具体的に限定しない。
【００９２】
本実施例において、上記アプリケーション編集モードは、メニュー選択の方式で作動されることができ、これについては詳細に説明しない。
【００９３】
本実施例で提供する上記方法は、テレビに適用できる。
【００９４】
本実施例で提供する上記方法によると、テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動させるかまたはパッケージングしてフォルダに追加するなどのテレビアプリケーションに対する操作を実現することができ、キー操作を簡素化し、キーに対する操作回数を減少させることができ、操作の便利性、及び柔軟性を向上させることができ、ユーザがその便利さを感じるようになる。
【００９５】
実施例３
図３ａを参照すると、本実施例は、テレビアプリケーションの操作方法を提供し、実施例２との相異点は、第２の方向キーと確認キーを用いて、隣り合うアプリケーションをパッケージングしてフォルダに追加するように制御できることであり、上記方法は、以下のようなステップを含む。
【００９６】
ステップ３０１において、テレビのアプリケーション編集モードを作動させ、テレビに表示された第１のアイコンが選択されたか否かを検出する。
【００９７】
ステップ３０２において、上記第１のアイコンが選択された場合、テレビリモコン上の指定されたキーが押されたか否かを検出する。
【００９８】
ステップ３０３において、テレビリモコン上の第１の方向キーが押されたか、それとも第２の方向キーが押されたかを判断し、第１の方向キーが押された場合、ステップ３０４を実行し、第２の方向キーが押された場合、ステップ３０６を実行する。
【００９９】
ステップ３０４において、第１のアイコンを、上記第１の方向キーに対応する方向において上記第１のアイコンと隣接する第２のアイコンの位置に移動させる。
【０１００】
ステップ３０５において、第２のアイコンがアプリケーションマークである場合、１つのフォルダを形成し、第１のアイコンに対応する第１のアプリケーションと、第２のアイコンに対応する第２のアプリケーションをパッケージングして上記フォルダに追加し、第２のアイコンがフォルダマークである場合、第１のアイコンに対応する第１のアプリケーションを上記フォルダに移入し、処理を終了する。
【０１０１】
ステップ３０６において、上記第１のアイコンを、上記第２の方向キーに対応する方向において上記第１のアイコンと隣接する第３のアイコンの位置に移動させる。
【０１０２】
ステップ３０７において、テレビリモコン上の第３のキーが押されたことが検出され、且つ第３のキーが確認キーである場合、１つのフォルダを形成し、第１のアイコンに対応する第１のアプリケーションと、第３のアイコンに対応する第３のアプリケーションをパッケージングして上記フォルダに追加し、処理を終了する。
【０１０３】
本実施例と実施例２との相異点は、第３のキーが方向キーではなく、確認キーであることである。この場合、第１のアプリケーション、及び第２の方向（例えば、上側または下側）で上記第１のアプリケーションと隣接するアプリケーションをパッケージングしてフォルダに追加するように制御することができるため、操作が便利になり、操作の便利性を向上させることができる。
【０１０４】
例えば、図３ｂは、上方向キーと確認キーを用いて、テレビアプリケーションをパッケージングしてフォルダに追加する操作を示す模式図である。ここで、まず、図２ｃ（１）と、図２ｃ（２）に示されたように、アプリケーション８が選択されたことが検出され、且つテレビスクリーンに表示されたアプリケーションを移動させるアイコン（未図示）が選択された後に、テレビリモコン上の上方向キーが押されたことが検出されると、アプリケーション８を上方向に移動させ、アプリケーション７の位置でアプリケーション７と重なるように表示する。その後、テレビリモコン上の確認キーが押されたことが検出されると、１つのフォルダを形成し、アプリケーション８と、アプリケーション７をパッケージングして上記フォルダに追加し、図３ｂに示されたように、上記フォルダをアプリケーション６の後ろに配列する。後ろに位置するアプリケーション９〜アプリケーション１２は、順次に対応する位置に移動される。
【０１０５】
本実施例において、上記方法は、
フォルダを形成した後に、少なくとも２つのアイコンが占める大きさで既に形成された上記フォルダを表示するステップをさらに含んでもよい。
【０１０６】
本実施例において、上記アプリケーション編集モードは、メニュー選択の方式で作動させることができ、これについては詳細に説明しない。上記いくつかの図面に図示されていない第１のアプリケーションが選択された後にテレビスクリーンに表示されるアイコンは、図３ｃを参照することができる。ここで、アプリケーション編集モードで、アプリケーション８が選択させると、テレビスクリーンに三つの操作種類のアイコンが表示され、左側から右側の順で順次に、アプリケーション削除アイコン、アプリケーション移動アイコン、及びアプリケーション進入アイコンである。これによって、アプリケーションを削除する操作、アプリケーションを移動させる操作、及びアプリケーションに進入する操作を実行することができる。
【０１０７】
本実施例で提供する上記方法は、テレビに適用できる。
【０１０８】
本実施例で提供する上記方法によると、テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動されるかまたはパッケージングしてフォルダに追加するなどのテレビアプリケーションに対する操作を実現することができ、キー操作を簡素化し、キーに対する操作回数を減少させることができ、操作の便利性、及び柔軟性を向上させることができ、ユーザがその便利さを感じるようになる。
【０１０９】
実施例４
本実施例は、テレビアプリケーションの操作方法を提供し、上記方法は、テレビに適用することができ、実施例２、または３に基づいて改善されたものであり、既に形成されたフォルダに対してさらに操作する。上記既に形成されたフォルダが左方向キーまたは右方向キーにより実現されるか、それとも上方向キーまたは下方向キーにより実現されるかについては限定しない。
【０１１０】
第１の場合において、図４ａを参照すると、実施例２または実施例３の方法を基礎として、既に形成されたフォルダに対してさらに削除操作を実行することができ、以下のようなステップを含む。
【０１１１】
ステップ４１１において、テレビに表示されたフォルダが選択された場合、テレビスクリーンにフォルダ削除マークを表示する。
【０１１２】
ここで、上記フォルダ削除マークは、フォルダを削除するアイコンであってもよく、これについては具体的に限定しない。
【０１１３】
ステップ４１２において、フォルダ削除マークが選択されたことが検出された場合、上記フォルダを削除し、処理を終了する。
【０１１４】
上記第１の場合において、フォルダ削除マークを選択することによって、フォルダを削除する操作を簡単に実行することができ、操作が簡便で、ユーザがその便利さを感じるようになる。
【０１１５】
あるいは、第２の場合において、図４ｂを参照すると、実施例２または実施例３の方法を基礎として、既に形成されたフォルダに対してさらに移動操作を実行することができ、以下のようなステップを含む。
【０１１６】
ステップ４２１において、テレビに表示されたフォルダが選択された場合、テレビスクリーンにフォルダ移動マークを表示する。
【０１１７】
ここで、上記フォルダ移動マークは、フォルダを移動させるアイコンであってもよく、これについては具体的に限定しない。
【０１１８】
ステップ４２２において、フォルダ移動マークが選択されたことを検出する。
【０１１９】
ステップ４２３において、フォルダ移動マークが選択された後に、テレビリモコン上の方向キーが押されたことが検出されると、上記方向キーに対応する方向に沿って上記フォルダを移動させ、処理を終了する。
【０１２０】
上記第２の場合において、方向キーを用いて、フォルダが任意の方向に移動するように簡単に制御することができ、操作が簡単で、ユーザがその便利さを感じるようになる。
【０１２１】
あるいは、第３の場合において、図４ｃを参照すると、実施例２または実施例３の方法を基礎として、フォルダ内のアプリケーションに対してさらに移動操作を実行することができ、以下のようなステップを含む。
【０１２２】
ステップ４３１において、テレビに表示されたフォルダが選択された場合、テレビスクリーンにフォルダ進入マークを表示する。
【０１２３】
ここで、上記フォルダ進入マークは、フォルダに進入するアイコンであってもよく、これについては具体的に限定しない。
【０１２４】
ステップ４３２において、フォルダ進入マークが選択されたことが検出された場合、上記フォルダ内の各アプリケーションに対応するアイコンを縦方向カード積層方式で圧縮表示する。
【０１２５】
ステップ４３３において、上記フォルダ進入マークの代わりに、アプリケーション移動マークをテレビスクリーンに表示する。
【０１２６】
ステップ４３４において、上記フォルダ内の第４のアイコンが選択されたことを検出し、アプリケーション移動マークが選択されたことを検出する。
【０１２７】
ステップ４３５において、押し操作が検出されたテレビリモコン上の方向キーに対応する方向に沿って上記第４のアイコンを移動させ、処理を終了する。
【０１２８】
ここで、上記押し操作が検出されたテレビリモコン上の方向キーに対応する方向に沿って上記第４のアイコンを移動させるステップは、
テレビリモコン上の左方向キーまたは右方向キーが押されたことが検出されると、第４のアイコンを左側または右側に沿って、上記フォルダから移出させ、テレビリモコン上の上方向キーまたは下方向キーが押されたことが検出されると、上記フォルダ内で、上方向または下方向に沿って第４のアイコンを移動させる。
【０１２９】
上記第３の場合において、ユーザがフォルダ内で１つのアプリケーションを選択した後に、左方向キーまたは右方向キーを用いて、選択されたアプリケーションをフォルダから移出させる操作を簡単に実現することができ、上方向キーまたは下方向キーを用いて、フォルダ内でアプリケーションを移動させる操作を簡単に実現することができるため、操作が簡単で、ユーザがその便利さを感じるようになる。
【０１３０】
あるいは、第４の場合において、図４ｄを参照すると、実施例２または実施例３の方法を基礎として、フォルダ内のアプリケーションに対してさらに削除操作を実行することができ、以下のようなステップを含む。
【０１３１】
ステップ４４１において、テレビに表示されたフォルダが選択された場合、テレビスクリーンにフォルダ進入マークを表示する。
【０１３２】
ここで、上記フォルダ進入マークは、フォルダに進入するアイコンであってもよく、これについては具体的に限定しない。
【０１３３】
ステップ４４２において、フォルダ進入マークが選択されたことが検出された場合、上記フォルダ内の各アプリケーションに対応するアイコンを縦方向カード積層方式で圧縮表示する。
【０１３４】
ステップ４４３において、上記フォルダ進入マークの代わりに、アプリケーション削除マークをテレビスクリーンに表示する。
【０１３５】
ステップ４４４において、上記フォルダ内の第５のアイコンが選択されたことが検出され、且つアプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除し、処理を終了する。
【０１３６】
上記第４の場合において、ユーザがフォルダ内で１つのアプリケーションを選択した後に、アプリケーション削除マークを選択することによって、フォルダ内のアプリケーションを削除する操作を簡単に実現することができ、操作が簡単で、ユーザがその便利さを感じるようになる。
【０１３７】
フォルダに関する操作をさらに明瞭に説明するために、以下に、図面を参照しながら、より直感的、且つ形相的に説明する。図４ｅは、フォルダを形成した後に、テレビスクリーンに各マークを表示した模式図である。ここで、フォルダ進入マーク、フォルダ移動マーク、及びフォルダ削除マークを含む。テレビスクリーンには、アプリケーション１〜アプリケーション１２が表示され、アプリケーション７と、アプリケーション５はパッケージングされて１つのフォルダに追加されている。当該フォルダが選択された後に、上記フォルダにフォルダ移動マークを表示し、フォルダの左側にフォルダ削除マークを表示し、フォルダの右側にフォルダ進入マークを表示することによって、ユーザが必要とするマークを選択し、さらに対応する操作を実行することができるようにする。
【０１３８】
実施例５
図５ａを参照すると、本実施例は、テレビアプリケーションの操作装置を提供し、上記装置は、
テレビのアプリケーション編集モードを作動させ、テレビに表示された第１のアイコンが選択されたか否かを検出し、上記第１のアイコンが選択された場合、テレビリモコン上の指定されたキーが押されたか否かを検出する検出モジュール５０１と、
テレビリモコン上の指定されたキーが押された場合、上記第１のアイコンを移動させるか、または上記第１のアイコンに対応する第１のアプリケーションをフォルダに追加する処理モジュール５０２とを含む。
【０１３９】
ここで、処理モジュール５０２は、
テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入する第１の処理サブモジュールと、
テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するかまたは上記第１のアイコンに対応する第１のアプリケーションと、上記第３のアイコンに対応する第３のアプリケーションをパッケージングしてフォルダに追加する第２の処理サブモジュールを含んでもよい。
【０１４０】
ここで、上記第１の処理サブモジュールは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成して、上記第１のアイコンに対応する第１のアプリケーションと、上記第２のアイコンに対応する第２のアプリケーションをパッケージングして上記フォルダに追加する第１のパッケージングユニットを含んでもよい。
【０１４１】
ここで、上記第２の処理サブモジュールは、
テレビリモコン上の指定された第２の方向キーが押された場合、上記第１のアイコンを、上記第２の方向キーに対応する方向において上記第１のアイコンと隣接する第３のアイコンの位置に移動させる第１の移動ユニットを含んでもよい。
【０１４２】
ここで、上記第２の処理サブモジュールは、
上記第３のキーが上記第２の方向キーである場合、上記第１のアイコンの位置と、上記第３のアイコンの位置を交換する交換ユニットを含んでもよい。
【０１４３】
ここで、上記第２の処理サブモジュールは、
上記第３のキーが確認キーである場合、１つのフォルダを形成し、上記第１のアイコンに対応する第１のアプリケーションと、上記第３のアイコンに対応する第３のアプリケーションをパッケージングして上記フォルダに追加する第２のパッケージングユニットを含んでもよい。
【０１４４】
図５ｂを参照すると、上記装置は、
上記装置に上記フォルダを形成した後に、少なくとも２つのアイコンが占める大きさで既に形成された上記フォルダを表示する表示モジュール５０３をさらに含んでもよい。
【０１４５】
ここで、上記表示モジュールは、さらに、テレビに表示されたフォルダが選択された場合、フォルダ削除マークをテレビスクリーンに表示し、上記処理モジュールは、
上記フォルダ削除マークが選択されたことが検出された場合、上記フォルダを削除する第３の処理サブモジュールをさらに含む。
【０１４６】
ここで、上記表示モジュールは、さらに、テレビに表示されたフォルダが選択された場合、フォルダ移動マークをテレビスクリーンに表示し、上記処理モジュールは、
上記フォルダ移動マークが選択されたことが検出され、且つテレビリモコン上の方向キーが押されたことが検出された場合、上記方向キーに対応する方向に沿って上記フォルダを移動させる第４の処理サブモジュールをさらに含む。
【０１４７】
ここで、上記表示モジュールは、さらに、テレビに表示されたフォルダが選択された場合、テレビスクリーンにフォルダ進入マークを表示し、上記処理モジュールは、
上記フォルダ進入マークが選択されたことを検出する第５の処理サブモジュールをさらに含む。
【０１４８】
上記表示モジュールは、さらに、上記フォルダ内の各アプリケーションに対応するアイコンを縦方向カード積層方式で圧縮表示する。
【０１４９】
ここで、上記表示モジュールは、さらに、上記フォルダ進入マークの代わりに、アプリケーション移動マークをテレビスクリーンに表示し、上記第５の処理サブモジュールは、
上記フォルダ内の第４のアイコンが選択されたことが検出され、且つ上記アプリケーション移動マークが選択されたことが検出されると、押し操作が検出されたテレビリモコン上の方向キーに対応する方向に沿って上記第４のアイコンを移動させる第２の移動ユニットを含む。
【０１５０】
ここで、上記表示モジュールは、さらに、上記フォルダ進入マークの代わりに、アプリケーション削除マークをテレビスクリーンに表示し、上記第５の処理サブモジュールは、
上記フォルダ内の第５のアイコンが選択されたことが検出され、且つ上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除する削除ユニットを含む。
【０１５１】
本実施例で提供する上記装置は、テレビに適用できる。
【０１５２】
本実施例で提供する上記装置によると、テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動されるかまたはパッケージングしてフォルダに追加するなどのテレビアプリケーションに対する操作を実現することができ、キー操作を簡素化し、キーに対する操作回数を減少させることができ、操作の便利性、及び柔軟性を向上させることができ、ユーザがその便利さを感じるようになる。
【０１５３】
実施例６
図６は、例示的な実施例によるテレビアプリケーションの操作装置６００のブロック図である。例えば、装置６００は、スマートテレビである。
【０１５４】
図６を参照すると、装置６００は、プロセスアセンブリ６０２、メモリ６０４、電源アセンブリ６０６、マルチメディアアセンブリ６０６、オーディオアセンブリ６１０、入出力（Ｉ／Ｏ）インターフェイス６１２、センサアセンブリ６１４、及び通信アセンブリ６１６のような一つ以上のアセンブリを含んでよい。
【０１５５】
プロセスアセンブリ６０２は、一般的には装置６００の全体の操作を制御するものであり、例えば、表示、電話呼び出し、データ通信、カメラ操作、及び記録操作と関連する操作を制御する。プロセスアセンブリ６０２は、一つ以上のプロセッサ６２０を含み、これらによって命令を実行することにより、上記の方法の全部、或は一部のステップを実現するようにしてもよい。なお、プロセスアセンブリ６０２は、一つ以上のモジュールを含み、これらによってプロセスアセンブリ６０２と他のアセンブリの間のインタラクションを容易にするようにしてもよい。例えば、プロセスアセンブリ６０２は、マルチメディアモジュールを含み、これらによってマルチメディアアセンブリ６０８とプロセスアセンブリ６０２の間のインタラクションを容易にするようにしてもよい。
【０１５６】
メモリ６０４は、各種類のデータを記憶することにより装置６００の操作を支援するように構成される。これらのデータの例は、装置６００において操作されるいずれのアプリケーションプログラム又は方法の命令、連絡対象データ、電話帳データ、メッセージ、画像、ビデオ等を含む。メモリ６０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１５７】
電源アセンブリ６０６は、装置６００の多様なアセンブリに電力を供給する。電源アセンブリ６０６は、電源管理システム、一つ以上の電源、及び装置６００のための電力の生成、管理及び割り当てに関連する他のアセンブリを含んでもよい。
【０１５８】
マルチメディアアセンブリ６０８は、上記装置６００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間及び圧力も検出できる。部分実施例において、マルチメディアアセンブリ６０８は、一つのフロントカメラ、及び／又はリアカメラを含む。装置６００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５９】
オーディオアセンブリ６１０は、オーディオ信号を入出力するように構成される。例えば、オーディオアセンブリ６１０は、一つのマイク（ＭＩＣ）を含み、装置６００が、例えば呼出しモード、記録モード、及び音声認識モード等の操作モードにある場合、マイクは外部のオーディオ信号を受信することができる。受信されたオーディオ信号は、さらにメモリ６０４に記憶されたり、通信アセンブリ６１６を介して送信されたりする。部分実施例において、オーディオアセンブリ６１０は、オーディオ信号を出力するための一つのスピーカーをさらに含む。
【０１６０】
Ｉ／Ｏインターフェイス６１２は、プロセスアセンブリ６０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１６１】
センサアセンブリ６１４は、装置６００に各方面の状態に対する評価を提供するための一つ以上のセンサを含む。例えば、センサアセンブリ６１４は、装置６００のＯＮ／ＯＦＦ状態、装置６００のディスプレイとキーパッドのようなアセンブリの相対的な位置決めを検出できる。また、例えば、センサアセンブリ６１４は、装置６００、或は装置６００の一つのアセンブリの位置変更、ユーザと装置６００とが接触しているか否か、装置６００の方位、又は加速／減速、装置６００の温度の変化を検出できる。センサアセンブリ６１４は、何れの物理的接触がない状態にて付近の物体の存在を検出するための近接センサを含んでもよい。センサアセンブリ６１４は、撮影アプリケーションに適用するため、ＣＭＯＳ、又はＣＣＤ図像センサのような光センサを含んでもよい。部分実施例において、当該センサアセンブリ６１４は、加速度センサ、ジャイロスコープセンサ、磁気センサ、圧力センサ、及び温度センサをさらに含んでもよい。
【０１６２】
通信アセンブリ６１６は、装置６００と他の機器の間に有線、又は無線形態の通信を提供する。装置６００は、例えばＷｉＦｉ、２Ｇ、３Ｇ、或はこれらの組み合わせのような、通信規格に基づいた無線ネットワークに接続されてもよい。一つの例示的な実施例において、通信アセンブリ６１６は、放送チャンネルを介して外部の放送管理システムからの放送信号、又は放送に関連する情報を受信する。一つの例示的な実施例において、前記通信アセンブリ６１６は、近距離無線通信（ＮＦＣ）モジュールをさらに含むことにより、近距離通信を推進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、および他の技術に基づいて実現できる。
【０１６３】
例示的な実施例において、装置６００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１６４】
例示的な実施例において、さらに、命令を含むコンピュータ読取り可能な非一時的な記録媒体、例えば命令を含むメモリ６０４を提供しており、装置６００のプロセッサ６２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１６５】
本実施例は、コンピュータ読み取り可能な不揮発性記録媒体を提供し、当該記録媒体には１つ以上のモジュール（ｐｒｏｇｒａｍｓ）が記憶され、当該１つ以上のモジュールが装置に適用する際に、当該装置は、
テレビのアプリケーション編集モードを作動させ、テレビに表示された第１のアイコンが選択されたか否かを検出するステップと、
上記第１のアイコンが選択された場合、テレビリモコン上の指定されたキーが押されたか否かを検出するステップと、
テレビリモコン上の指定されたキーが押された場合、上記第１のアイコンを移動させるか、または上記第１のアイコンに対応する第１のアプリケーションをフォルダに追加するステップを行うための命令（ｉｎｓｔｒｕｃｔｉｏｎｓ）を実行することができる。
【０１６６】
ここで、テレビリモコン上の指定されたキーが押された場合、上記第１のアイコンを移動させるか、または上記第１のアイコンに対応する第１のアプリケーションをフォルダに追加するステップは、
テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加し、上記第２のアイコンがフォルダマークである場合、上記第１のアイコンに対応する第１のアプリケーションを上記フォルダに移入するステップと、
テレビリモコン上の指定された第２のキーが押された場合、上記第１のアイコンをそれに隣接する第３のアイコンの位置に移動させ、テレビリモコン上の指定された第３のキーが押されたことが検出されると、上記第１のアイコンの位置と、上記第３のアイコンの位置を交換するか、または上記第１のアイコンに対応する第１のアプリケーションと、上記第３のアイコンに対応する第３のアプリケーションをパッケージングしてフォルダに追加するステップを含む。
【０１６７】
ここで、上記テレビリモコン上の指定された第１のキーが押された場合、上記第１のアイコンをそれに隣接する第２のアイコンの位置に移動させ、上記第２のアイコンがアプリケーションマークである場合、上記第１のアイコンに対応する第１のアプリケーションと、上記第２のアイコンに対応する第２のアプリケーションをパッケージングしてフォルダに追加するステップは、
テレビリモコン上の指定された第１の方向キーが押された場合、上記第１のアイコンを、上記第１の方向キーに対応する方向において上記第１のアイコンと隣接する第２のアイコンの位置に移動させ、１つのフォルダを形成して、上記第１のアイコンに対応する第１のアプリケーションと、上記第２のアイコンに対応する第２のアプリケーションをパッケージングして上記フォルダに追加するステップを含む。
【０１６８】
ここで、テレビリモコン上の指定された第２のキーが押された場合、上記第１のアイコンをそれに隣接する第３のアイコンの位置に移動させるステップは、
テレビリモコン上の指定された第２の方向キーが押された場合、上記第１のアイコンを、上記第２の方向キーに対応する方向において当該第１のアイコンと隣接する第３のアイコンの位置に移動させるステップを含む。
【０１６９】
ここで、上記第１のアイコンとの位置、上記第３のアイコンの位置を交換するステップは、
上記第３のキーが上記第２の方向キーである場合、上記第１のアイコンと、上記第３のアイコンの位置を交換するステップを含む。
【０１７０】
ここで、上記第１のアイコンに対応する第１のアプリケーションと、上記第３のアイコンに対応する第３のアプリケーションをパッケージングしてフォルダに追加するステップは、
上記第３のキーが確認キーである場合、１つのフォルダを形成し、上記第１のアイコンに対応する第１のアプリケーションと、上記第３のアイコンに対応する第３のアプリケーションをパッケージングして上記フォルダに追加するステップを含む。
【０１７１】
ここで、上記装置は、
上記フォルダを形成した後に、少なくとも２つのアイコンが占める大きさで既に形成された上記フォルダを表示するステップを行うための命令をさらに実行することができる。
【０１７２】
ここで、上記装置は、
テレビに表示されたフォルダが選択された場合、テレビスクリーンにフォルダ削除マークを表示するステップと、
上記フォルダ削除マークが選択されたことが検出されると、上記フォルダを削除するステップを行うための命令をさらに実行することができる。
【０１７３】
ここで、上記装置は、
テレビに表示されたフォルダが選択された場合、テレビスクリーンにフォルダ移動マークを表示するステップと、
上記フォルダ移動マークが選択されたことが検出され、テレビリモコン上の方向キーが押されたことが検出されると、上記方向キーに対応する方向に沿って上記フォルダを移動させるステップを行うための命令をさらに実行することができる。
【０１７４】
ここで、上記装置は、
テレビに表示されたフォルダが選択された場合、テレビスクリーンにフォルダ進入マークを表示するステップと、
上記フォルダ進入マークが選択されたことが検出されると、上記フォルダ内の各アプリケーションに対応するアイコンを縦方向カード積層方式で圧縮表示するステップを行うための命令をさらに実行することができる。
【０１７５】
ここで、上記フォルダ内の各アプリケーションに対応するアイコンを上記縦方向カード積層方式で圧縮表示した後に、
上記フォルダ進入マークの代わりに、アプリケーション移動マークをテレビスクリーンに表示するステップと、
上記フォルダ内の第４のアイコンが選択されたことが検出され、上記アプリケーション移動マークが選択されたことが検出されると、押し操作が検出されたテレビリモコン上の方向キーに対応する方向に沿って上記第４のアイコンを移動させるステップをさらに含む。
【０１７６】
ここで、上記フォルダ内の各アプリケーションに対応するアイコンを上記縦方向カード積層方式で圧縮表示した後に、
上記フォルダ進入マークの代わりに、アプリケーション削除マークをテレビスクリーンに表示するステップと、
上記フォルダ内の第５のアイコンが選択されたことが検出され、上記アプリケーション削除マークが選択されたことが検出されると、ダイアログボックスを表示して、ユーザに、アプリケーションを削除する操作を実行するか否かを問い合わせし、テレビリモコン上の確認キーが押されたことが検出されると、上記第５のアイコンに対応するアプリケーションを削除するステップをさらに含む。
【０１７７】
本実施例で提供する上記コンピュータ読み取り可能な不揮発性記録媒体によると、テレビのアプリケーション編集モードを作動させ、テレビに表示された第１のアイコンが選択されたか否かを検出し、上記第１のアイコンが選択された場合、テレビリモコン上の指定されたキーが押されたか否かを検出し、テレビリモコン上の指定されたキーが押された場合、上記第１のアイコンを移動させるか、または上記第１のアイコンに対応する第１のアプリケーションをフォルダに追加することによって、テレビリモコンを用いて、例えば、移動されるかまたはパッケージングしてフォルダに追加するなどの、テレビアプリケーションに対する操作を実現することができ、キー操作を簡素化し、キーに対する操作回数を減少させることができ、操作の便利性、及び柔軟性を向上させることができ、ユーザがその便利さを感じるようになる。
【０１７８】
当業者は、上記実施例のすべての、または一部のステップがハードウェアを通じて実行されてもよく、または、関連するハードウェアがプログラム命令を実行することによって実現されてもよいことを理解すべきであり、上記プログラムは、コンピュータ読み取り可能な不揮発性記録媒体に記憶されることができ、上記記録媒体は、ＲＯＭ、磁気ディスク、またはコンパクトディスクであってもよい。
【０１７９】
当業者は、明細書に対する理解、及び明細書に記載された発明に対する実践を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０１８０】
以上は、ただ本発明の好ましい実施例であり、本発明を限定するものではない。本発明の思想と原則範囲内でのすべての修正、均等交替、改善などはいずれも本発明の保護範囲に属する。
【図１ａ】
0006053965.tif 000002
【図１ｂ】
0006053965.tif 000003
【図１ｃ】
0006053965.tif 000004
【図２ａ】
0006053965.tif 000005
【図２ｂ（１）】
0006053965.tif 000006
【図２ｂ（２）】
0006053965.tif 000007
【図２ｃ（１）】
0006053965.tif 000008
【図２ｃ（２）】
0006053965.tif 000009
【図３ａ】
0006053965.tif 000010
【図４ａ】
0006053965.tif 000011
【図４ｂ】
0006053965.tif 000012
【図４ｃ】
0006053965.tif 000013
【図５ａ】
0006053965.tif 000014
【図５ｂ】
0006053965.tif 000015
【図６】
0006053965.tif 000016
【図２ｂ（３）】
0006053965.tif 000017
【図３ｂ】
0006053965.tif 000018
【図３ｃ】
0006053965.tif 000019
【図４ｄ】
0006053965.tif 000020
【図４ｅ】
0006053965.tif 000021